(57)【要約】  患者の眼の病状を治療するシステムは、眼内に配置される寸法の電動眼内埋没物を含み、かつ患者の頭部または患者の頭部に隣接して眼に隣接して担持される寸法の送信機を含む。送信機は、眼内埋没物に通電するのに十分な電磁束界を発する送信アンテナを含み、かつ電磁束界内に配置される電磁束分路を含む。送信アンテナは、電磁束分路と埋没物の間に配置され得る。【選択図】図２
2015500709.tif 000002
【特許請求の範囲】
【請求項１】
患者の眼の病状を治療するシステムであって、
眼内に設置される寸法の眼内埋没物であって、
電動治療用素子と、
前記電動治療用素子を動作させるエネルギーを受けるように構成されたアンテナと、
を備える眼内埋没物と、
着用式外部システムであって、
前記患者の頭部上またはそれに隣接して前記眼に隣接して担持される寸法の送信機で  あって、前記アンテナに給電して前記埋没物の前記電動治療用素子を動作させる電力を  供給するのに十分な電磁束界を発するように配置された送信機と、
前記送信機と連通し、前記電磁束界が発せられるように前記送信機に電力を供給する  ようにされた構成された電源と、
を備える着用式外部システムと、
を備えるシステム。
【請求項２】
前記送信機が、
前記電磁束界を発する送信アンテナと、前記電磁束界内に配置される電磁束分路とを備え、前記送信アンテナは前記電磁束分路と前記埋没物との間に配置されている、請求項１に記載のシステム。
【請求項３】
前記電磁束分路が、筒形であり、前記送信機と実質的に同方向に伸長する長手方向軸を有する、請求項２に記載のシステム。
【請求項４】
前記送信機が、一つの側において、他の側よりも強い電磁束界を供給するように構成されており、前記より強い電磁束界が前記送信機の前記埋没物と同じ側に形成されている、請求項１に記載のシステム。
【請求項５】
前記送信機が第１端部と第２端部を有する送信アンテナを備え、前記送信アンテナは前記埋没物に対面する態様で前記着用式外部システム上に配置されており、前記埋没物のアンテナが前記電磁束界の放射方向に実質的に水平になるように配置されている、請求項１に記載のシステム。
【請求項６】
前記埋没物が充電可能エネルギー貯蔵素子を備え、前記電動式素子が、前記エネルギー貯蔵素子から電力を引き出すように配置されている、請求項１に記載のシステム。
【請求項７】
前記エネルギー貯蔵素子が、並列または直列に配置された貯蔵素子アレイを備える、請求項６に記載のシステム。
【請求項８】
前記電動治療用素子が、バルブとポンプうち１つを備える、請求項１に記載のシステム。
【請求項９】
前記埋没物が、前記眼の結膜下ポケット内に配置される寸法である、請求項１に記載のシステム。
【請求項１０】
患者の眼の病状を治療するシステムであって、
眼内に配置される寸法の電動眼内埋没物と、前記患者の頭部またはそれに隣接して前記眼に隣接して担持される寸法の送信機を備え、前記送信機は、
眼内埋没物に給電するのに十分な電磁束界を発する送信アンテナと、
前記電磁束界内に配置される電磁束分路とを備え、前記送信アンテナは前記電磁束分路と前記埋没物との間に配置されている、システム。
【請求項１１】
前記電磁束分路が、筒形であり、前記送信機と実質的に同方向に伸長する長手方向軸を有する、請求項１０に記載のシステム。
【請求項１２】
前記電磁束分路が、前記送信アンテナに対し、前記眼内埋没物から離れる方向に前記電磁束界を減ずる位置に配置されている、請求項１０に記載のシステム。
【請求項１３】
前記埋没物が、前記眼の結膜下ポケット内に配置される寸法である、請求項１０に記載のシステム。
【請求項１４】
前記送信機と連通し、前記電磁束界が発せられるように前記送信機に電力を供給するように構成された電源を備える、請求項１０に記載のシステム。
【請求項１５】
前記埋没物を前記送信機の電磁束内に配置するよう構成にされた支持構造をさらに備える、請求項１０に記載のシステム。
【請求項１６】
前記支持構造が、眼鏡と帽子のうち１つを備える、請求項１５に記載のシステム。
【請求項１７】
前記埋没物が、前記眼の結膜下ポケット内に配置される寸法である、請求項１０に記載のシステム。
【請求項１８】
患者の眼内に埋め込まれる寸法の眼内埋没物に電力を供給する方法であって、
前記患者に着用され、前記眼内埋没物に対し、電磁束界が前記埋没物を包含するような位置に配置された送信機で電磁束界を生成すること、
前記電磁束界が前記埋没物に向かう方向に増加する態様で、前記埋没物から離れる方向の前記電磁束界を制限すること、および
前記電磁束界からのエネルギーを前記埋没物で受けて、前記埋没物の前記電動式素子に電力を供給して眼の病状を治療すること、を含む方法。
【請求項１９】
前記エネルギーを貯蔵素子に貯蔵することを含む、請求項１８に記載の方法。
【請求項２０】
送信機で電磁束界を生成することが、送信アンテナで界を生成することを含み、
前記埋没物から離れる方向の前記電磁束界を制限することが、前記送信アンテナの前記埋没物から離れる方の側に電磁束分路を配置することを含む、請求項１８に記載の方法。
【発明の詳細な説明】
【技術分野】
【０００１】
本開示は、一般に、眼の治療に使用される眼内埋没物に電力を供給するシステムおよび方法に関する。
【０００２】
網膜と視神経に影響を与える眼疾患の１つの緑内障は、失明の世界的な筆頭原因である。緑内障のほとんどの型は、眼圧（ＩＯＰ）が長期間にわたり正常圧を超えた場合に生じる。ＩＯＰは、眼房水の産生に対しその排液の抵抗が高まることで増加し得る。治療せず放置すると、高ＩＯＰは視神経と網膜線維層に不可逆的損傷をもたらし、進行的永久的失明につながる。
【０００３】
図１は、緑内障のプロセスをわかりやすくする、眼の前側部分の図である。図１には、レンズ１１０、角膜１２０、虹彩１３０、毛様体１４０、線維柱帯網１５０およびシュレム管１６０が再現されている。解剖学的に、眼球前部は緑内障をもたらし得る高ＩＯＰの原因となる構造を含む。眼房水は、虹彩１３０の下で、眼球前部でレンズ１１０に隣接している毛様体１４０に産生される。この眼房水はレンズ１１０と虹彩１３０を洗浄し、前眼房の隅角に配置された治療システムに流れる。前眼房の隅角は、眼の周囲に伸長し、眼房水を排出する構造を備える。線維柱帯網１５０は一般に緑内障と関連づけられている。線維柱帯網１５０は、前眼房の周囲に伸長する。線維柱帯網１５０はフィルターの役割をするとみられ、眼房水の流出を制限し、ＩＯＰと直接関係のある後方圧を与える。シュレム管１６０は、線維柱帯網１５０の後ろに位置する。シュレム管１６０は、コレクタチャネル（図示せず）に流体連結しており、眼房水を前眼房から流出させる。図１の前区の２つの矢印は、毛様体１４０から、レンズ１１０と虹彩１３０の上を通り、線維柱帯網１５０に達し、シュレム管１６０とそのコレクタチャネルに入る眼房水の流れを示す。
【０００４】
緑内障などの眼疾患を治療する１つの方法は、患者の眼内に治療用デバイスを埋め込むことを含む。そのような治療用デバイスは、流体を眼の内部室から排液部位に流出させ得、眼圧を緩和してＩＯＰを下げる。しかし、これらのデバイスは受動的な無通電デバイスなので、治療用デバイスのモニタリングまたは相互作用的制御ができない。したがって、特定の病状に対する応答は生じない。
【発明の概要】
【発明が解決しようとする課題】
【０００５】
したがって、たとえば緑内障などの眼疾患を治療するのに利用され得る電動システムまたは埋没物が必要とされている。本明細書に開示されるシステムと方法は、従来技術の１または複数の欠点を克服する。
【課題を解決するための手段】
【０００６】
１つの例示的態様では、本開示は、患者の眼の病状を治療するシステムに関する。システムは、眼内に配置される寸法の眼内埋没物を含む。埋没物は、電動治療用素子と、電動治療用素子を動作させるエネルギーを受けるようにされたアンテナを含む。システムは、患者の頭部または患者の頭部に隣接して眼に隣接して担持される寸法の送信機を含む着用式外部システムも含む。送信機は、アンテナに通電するのに十分な電磁束界を発し、埋没物の電動治療用素子を動作させる電力を供給するように配置されている。電源は送信機と連通し、電磁束界を発するため送信機に電力を供給する。１つの態様では、送信機は、電磁束界を発する送信アンテナを含み、かつ電磁束界内に配置される電磁束分路を含む。送信アンテナは、電磁束分路と埋没物の間に配置され得る。
【０００７】
別の例示的態様では、本開示は、患者の眼の病状を治療するシステムに関する。システムは、眼内に配置される寸法の電動眼内埋没物を含み、かつ患者の頭部または患者の頭部に隣接して眼に隣接して担持される寸法の送信機を含む。送信機は、眼内埋没物に通電するのに十分な電磁束界を発する送信アンテナを含み、かつ電磁束界内に配置される電磁束分路を含む。送信アンテナは、電磁束分路と埋没物の間に配置され得る。
【０００８】
１つの態様では、電磁束分路は筒形で、送信機と実質的に同方向に伸長する長手方向軸を有する。別の態様では、電磁束分路は、送信アンテナに対し、眼内埋没物から離れる方向に電磁束界を減ずる位置に配置される。
【０００９】
さらに別の例示的態様では、本開示は、患者の眼内に埋め込まれる寸法の眼内埋没物に電力を供給する方法に関する。方法は、患者に装着され、電磁束界が埋没物を包囲するような位置に眼内埋没物に対して配置された送信機で電磁束界を生成することを含む。方法は、電磁束界が埋没物に向かう方向に増加する態様で、埋没物から離れる方向の電磁束界を制限することも含む。方法は、電磁束界からのエネルギーを埋没物で受けて、埋没物の電動式素子に電力を供給して眼の病状を治療することも含む。１つの態様では、送信機で電磁束界を生成することは、送信アンテナで界を生成することを含み、埋没物から離れる方向の電磁束界を制限することは、電磁束分路を送信アンテナの埋没物から離れた側に配置することを含む。
【００１０】
以上の一般的な記述と、以下の詳細な説明は、いずれも例示的・説明的な性質であり、本開示の範囲を制限することなく本開示を理解させることを意図することを理解すべきである。この観点から、当業者には以下の詳細な説明から本開示の追加の態様、特徴および利点が明らかになろう。
【図面の簡単な説明】
【００１１】
添付の図面は、本明細書に開示のデバイスおよび方法の実施形態を説明し、本明細書とともに本開示の原理を説明するのに役立つ。
【図１】眼の前側部分の図である。
【図２】本開示の例示的実施形態による例示的眼治療システムの概略図である。
【図３】本開示の例示的実施形態による、患者の眼内に配置された眼治療システムの埋没物の概略図である。
【図４】本開示の例示的実施形態による、図３の眼治療システムの埋没物の概略図である。
【図５】本開示の例示的実施形態による、図２の眼治療システムの送信機により生成された電磁束界の概略図である。
【図６】本開示の別の例示的実施形態による、図２の眼治療システムの送信機により生成された電磁束界の概略図である。
【発明を実施するための形態】
【００１２】
次に、本開示の原理を理解しやすくするために、図面に示された実施形態を参照し、その記述には特別な用語を使用する。しかし、本開示の範囲を何ら制限する意図はないことを理解すべきである。本開示が関する分野の当業者が通常想到するであろう、記述されるデバイス、機器、方法および本開示の原理のあらゆる追加の応用に対するあらゆる変更およびさらなる変形がすべて企図される。特に、１つの実施形態に関連して記述される特徴、構成要素および／またはステップが、本開示の他の実施形態との関連で記述される特徴、構成要素および／またはステップと組み合せされ得ることが、すべて企図される。わかりやすくするため、同じかまたは類似の部品（部分）に言及するのに同一参照番号が図面を通じて使用される場合がある。
【００１３】
本開示は、眼内埋没物に電力を供給するシステムと方法に関する。少なくとも１つの態様では、外部システムがワイヤレスの電磁界を埋没物に送信する。システムは、より多くの電磁界を埋没物に向け、より少ない電磁界を埋没物から離れる方向に向けるよう動作する。本明細書における例示的実施形態では、電磁界を埋没物に向ける界輪郭密度を成形する分流技法を用いる。特定の埋没物は、非充電状態での動作用に電力を受け貯蔵するように設計されている。
【００１４】
図２は、埋没物２０２と外部ユニット２０４を含む例示的眼治療システム２００を示す。埋没物２０２は、たとえば緑内障などの眼の病状をモニタリングまたは治療するのに使用され得る電動治療用素子を含む。外部ユニット２０４は、埋没物２０２との通信のみならず、それに電力を供給するように構成されている。以下に説明するように、このことは、埋没物２０２が占める部分内に外部ユニット２０４が電磁界を送信するワイヤレス接続を介して達成される。埋没物２０２は、電磁界からのエネルギーをエネルギー源として、また半二重通信用に変調される搬送波として捕捉し使用する。最初に埋没物２０２について説明してから外部ユニット２０４ついて説明する。
【００１５】
図３は、埋没物２０２が眼内に埋め込まれたところを示す、１つの可能な用途の図である。この例では、埋没物２０２は、眼の結膜下ポケット２０６に埋め込まれるように寸法決めされ配置されている。１つの例では、埋没物は、前眼房２０８から排液部位２１０への流体を分流するように配置され得るが、これは、所望のＩＯＰを維持するかまたはそれを獲得することで緑内障を治療するために、多数の眼内の場所のいずれであってもよい。たとえば、一部の埋没物は、房水を前眼房２０８から結膜下スペース、あるいは強膜下スペースに分流するように配置されている。他の埋没物は、眼房水を前眼房から脈絡上板スペース、眉上のスペース、ブドウ膜近傍スペースまたは脈絡膜に分流する。さらに別の用途では、埋没物２０２は、眼房水を前眼房２０８からシュレム管、シュレム管内のコレクタチャネルまたは強膜上静脈のような多数の様々な血管のいずれかに分流する。一部の例では、埋没物は、眼房水を前眼房２０８から結膜外へも分流する。
【００１６】
図４は、埋没物２０２のより詳細な例を示す。埋没物２０２は、電動治療用素子２１６と電力および制御部分２１８を含む。電力および制御部分２１８は、埋没電子機器２２０、埋没アンテナ管理回路２２２、アンテナ２２４およびエネルギー貯蔵素子２２６を含む。治療用素子２１６は、たとえば、電気的に駆動されるバルブ、ポンプ、注入器、トランスデューサーまたはセンサー、薬物送達素子、または眼の病状を治療するかまたは眼の状態をモニタリングするように構成された他のモニタリングまたは治療用デバイス、またはそれらのあらゆる組合せであり得る。たとえば遠隔計器、データ送信モジュールまたは外部ユニット２０４と通信する他の素子も含み得る。
【００１７】
埋没電子機器２２０は、電力、ロジック、制御または他の電気制御的役割を提供することで、治療用素子２１６の働きを制御する。１つの例では、埋没電子機器２２０は、ロジック機能を実行できるパワー、入力および出力ピンを有する集積回路などのプロセッサーを含む。様々な実施形態では、プロセッサーは、対象のデバイスのコントローラーである。そのような場合、プロセッサーは、治療用素子２１６と通信し、それを対象とする特定の制御機能を実行する。他の実施形態では、プロセッサーはプログラム可能マイクロプロセッサーであって、電動治療用素子２１６を制御するように機能できる。他の場合では、プロセッサーは、埋没物２０２の異なる態様または機能を制御するようにされた、特殊目的のコントローラーである。埋没電子機器は、管理回路と電気的に通信して電力を受ける。一部の実施形態では、これはプロセッサーまたはメモリを含み得るか、またはハードコードされたメモリであり得る。
【００１８】
埋没アンテナ管理回路２２２は、フィルターと、埋没電子機器２２０と半二重データに電力を供給する電気回路部品を含む。埋没アンテナ管理回路２２２は、埋没電子機器２２０と電気的に通信し、エネルギー貯蔵素子２２６から電力を引き出して埋没電子機器２２０に送る。
【００１９】
この例では、アンテナ２２４は、電力および制御部分２１８の周辺部分の周りかまたはそこに隣接して伸長している多重ループアンテナである。アンテナ２２４は、以下に記述するように、外部ユニット２０４から励起エネルギーを受けるよう動作する。その電気インピーダンスは誘導性であり、外部ユニット２０４の電磁束界内に置かれると、コイルインダクターとしてふるまい、電気エネルギーを生成する。それはトランスデューサーまたはＡ／Ｃコンバーターへの場であってもよい。アンテナ２２４は、圧電結晶、光起電体または電力を捕捉して埋没物２０２を動作させ得る他のエネルギー捕捉システムであってもよい。
【００２０】
示した例では、エネルギー貯蔵素子２２６は、平行配列のコンデンサーなどの、エネルギー貯蔵用の平行配列の受動的電気部品である。しかし、エネルギー貯蔵素子２２６は、コンデンサーまたは配列またはコンデンサー、１または複数の電池、または埋没物アンテナ２２４を用いた電磁波ハーベスターの組合せの１または複数であり得る。
【００２１】
上述したように、埋没物２０２は、眼の中に永久的または一時的に埋め込まれるように寸法決めされ配置されている。したがって、埋没物２０２の一部の実施形態では、たとえば約１６ｍｍ×１６ｍｍよりも小さい範囲で、好ましくは約１２ｍｍ×１２ｍｍよりも小さく、約３ｍｍ未満、好ましくは約２ｍｍ未満の厚みを有する寸法にされている。１つの例では、埋没物は、１．５〜２ｍｍの範囲の厚みを有する。埋没物２０２は、眼球の半径（約０．５インチ）に形成され得る。埋没物２０２は、剛性で、眼球に実質的に適合する曲線を有して機能され得るか、可撓性で、眼球に適合するように撓み得る。一部の埋没物の実施形態は十分に小型なので、眼球への適合による快適性や埋込み技術における利点はほとんどない。
【００２２】
埋没物２０２は、結膜と強膜の間の結膜下ポケット内に、ＩＯＰ制御システム２００の前縁部が角膜輪部（角膜と強膜の境界）のわずか後方に配置された状態で、眼内配置され得る。埋没物２０２は、固定構造、埋没隅角および周辺の解剖学的構造を介して、または埋没物２０２を安定させるばね力または他の機構により、眼内の所定位置に保持され得る。
【００２３】
図２に戻ると、この例示的実施形態では、外部ユニット２０４は、ここでは眼鏡として示される支持構造２４０、送信機２４２および取り付けられた電源２４４を含む。送信機２４２は、電磁界を発するように配置され、具体的には埋没物２０２を捕捉するか包含する部分内に電磁界を送信する位置で支持構造２４０に配置される。したがって、送信機２４２は、電磁界を患者の眼内に向けるのに適した場所に配置され得る。この例では、送信機２４２は、患者が支持構造２４０を着用しているとき送信機２４２を患者のこめかみに隣接して配置する場所で支持構造２４０に担持される。別の例では、送信機２４２は、眼鏡支持構造の接眼レンズのところに配置される。１つの例では、送信機は、眼鏡の接眼レンズを囲むコイルを有するソレノイドであり、コイルはフレームに埋め込まれているか、フレームを形成している。
【００２４】
ここでは眼鏡として示されているが、支持構造２４０は、送信機２４２を埋没物２０２に対し特定の方向に固定するように配置されるあらゆる構造であり得る。１つの例では、支持構造は、つばに送信機２４２が取り付けられた野球帽である。他の例は、他の種類の帽子、ボンネット、フード、ヘッドギア、イヤホンその他を含む。支持構造の一部の例は、着用されるのではなく、埋め込まれた埋没物の充電範囲内にあるように配置されている。たとえば、支持構造は、患者が眠っている間に埋没物を充電するように配置された枕または枕カバーに関連し得る。あるいは、ヘッドボード、ナイトテーブルまたは他の家具に取り付けるようにされてもよい。他の例では、埋没物を充電するのに外部ユニットの近くに埋没物を配置するような場所に患者が位置しやすくする単なる筐体である。
【００２５】
電源２４４は、リチウムイオンまたはリチウムポリマー電池などの充電池であるが、他の種類の電池を使用してもよい。さらに、他のあらゆる種類の動力電池が電源２４４として適している。電源２４４が送信機２４２に電力を供給すると、今度は埋没物２０２に電力が供給される。この例では、電源は、送信機２４２から離れて配置され得、患者のポケット内に収まる寸法であるか、ポケットに担持される。他の例では、患者の帽子または他の場所に縫いこまれ得る。１つの例では、電源２４４は、標準的な電気コンセントを介してアクセスされ得るような、送電網からの一般的な電力である。これは、外部ユニット２０４が据え置き型システムである場合、特に効果的である。この例における電源２４４は、ワイヤまたは他の導電体を介して送信機と連通し得る。
【００２６】
図５は、送信機２４２が生成した例示的電磁束または電磁界と、送信機２４２および埋没物２０２の１つの例を示す。この例では、送信機２４２は、この実施形態ではソレノイドであり得る送信アンテナ２５０を含む。図示のとおり、送信機２４２を埋め込まれた埋没物２０２に対し適切な位置に配置することで、埋没物２０２は電磁束の部分内に捕捉され、送信機２４２からのエネルギーを受けることができる。支持構造２４０上の送信機２４２の位置は、埋没物と支持構造２４０の予定の方向に基づき、所望の方向で、高レベルの電磁束が得られるように選択してよい。たとえば、送信機は、予定の位置で、患者が前方を見ているとき、電磁束発信方向が埋没物アンテナ２２４に対し水平になるような位置と方向で、支持構造上に配置され得る。このことは、埋没物に電力を供給するためアンテナが捕捉する電磁束の量を最大限化し得る。送信機の長さ、ワイヤが巻きつけられる材料の導磁性および送信機２４２の端部に対する埋没物２０２上の埋没物アンテナ２２４の相対的な位置および角度はすべて埋没物２０２へのエネルギー伝達効率に影響する。
【００２７】
図５は、長手方向伸長体としての送信アンテナ２５０を示す。１つの例では、送信アンテナ２５０は、第１端部と第２端部の間に伸長する筒形の物体である。送信された磁界束密度は、送信アンテナ２５０を軸上に置いて円環形の場として機能する。図示のとおり、磁束界の形状を考慮すると埋没物２０２は送信機２４２から放射された磁束の大部分を利用できない。
【００２８】
送信機２４２の代替実施形態を図６に示す。図６の送信機２４２は、送信アンテナ２５０と、送信アンテナ２５０からの電磁束をより大量に埋没物２０２に向ける電磁束分路２５２の両方を有する。この例では、電磁束分路２５２は、埋没物２０２に占められていない部分に送信される電磁束を減ずる補助をする。このことは、システムの電気効率を高め得、意図しない放射を減じ得、複数の共配置されたシステムが患者内で最小限のＲＦ干渉で動作することを可能にし得る。さらに、埋没物２０２に大量に向けられる送信アンテナ２５０から送信されたエネルギーは、他の埋没物上に存在し得る近隣の応答ユニットによる捕捉効果を減ずるか回避し得る。これによって良好な送信と、ヒト通道組織に埋め込まれている埋没物から生じる劣化の低減がもたらされ得る。
【００２９】
図６を参照すると、電磁束分路２５２は、送信アンテナ２５０が生成する電磁束部分に隣接するかその中に配置されて、所望しない領域への電磁束部分を制限するかまたは減ずる。ここで、電磁束分路２５２は、送信アンテナ２５０の埋没物２０２とは反対側に配置された低磁気抵抗材料である。この例では、電磁束分路２５２は、長手方向に伸長する素子であり、送信アンテナと実質的に同じ長さであり、送信アンテナ２５０と実質的に平行に配置されている。図６の磁束界の形状と密度からわかるように、低磁気抵抗性の電磁束分路２５２は、局所電磁束のほとんどを回収して送信アンテナ２５０へと送り返すことで、送信アンテナ２５０の周囲の所望でない部分への送信を減ずる。磁束は最も抵抗の少ない経路の周りに集中するので、低磁気抵抗性の分路２５２の配置により方向性磁束送信が可能になる。
【００３０】
しかし、他の実施形態では、電磁束分路２５２の長手方向の長さは、送信アンテナ２５０の長手方向の長さよりも長い。さらに、一部の実施形態では、その形状は送信アンテナ２５０と異なる。送信アンテナ２５０に対し電磁束分路２５２の形状、寸法及び配向を変えることで、送信アンテナ２５０から放射された電磁束界の方向性制御を提供できる。このように、電磁束界は、埋没物は最も効率のよい方法で充電するように  制御され得る。
【００３１】
図６では、電磁束分路２５２と送信アンテナ２５０は、埋没物２０２の回路に対し、より効率よく電磁束界を供給する。電磁束分路２５２と送信アンテナ２５０は、用途に合わせた電磁束界で、眼鏡デザイン内などで着用式支持構造２４０に取り付けられるほど小さい。つまり、支持構造２４０の使用中に治療用埋没物２０２が配置される予定の方向に電磁束界を向ける。磁気回路の原理を当てはめると、送信量の電磁束の一部を、分流して送信アンテナ２５０に戻すことで、再循環させることが可能である。非分流電磁束と異なり、再循環された電磁束は意図しない方向に伝搬されない。この磁気分流が低損失ならば、送信アンテナ２５０のエネルギー貯蔵素子の特性が強化され、ワイヤの巻回数の減少および／または最低限必要な埋没物の動作電磁束を生じる励弧電流の減少が可能になろう。電磁束分流技法は、３次元の界臨界密度の形成に使用され得る。電磁束分路２５２を用いて電磁束を方向付けることで、システムの電気効率が向上し、望まない放射が減少し、動作性が向上する。
【００３２】
１つの実施形態では、埋没物２０２は、埋没物または検討すべき眼の状態に関する情報の発信を可能にする送信デバイスを含む。たとえば、流量、圧力、充電状態および他の条件が埋没物２０２から発信され得、医師または所望の治療を提供するかもしくは受けるシステムがそれを検討する。
【００３３】
使用において、医師は、電動治療用素子とともに眼内埋没物２０２を患者の眼内に埋め込んで眼の病状に対処する場合がある。埋没物２０２は、動作に使うエネルギーをそのエネルギー貯蔵素子２２６から引き出し得る。患者は、エネルギー貯蔵素子２２６をワイヤレス充電するか、または外部ユニット２０４を用いて埋没物２０２を包含する電磁界を生成することで埋没物２０２に電力を供給し得る。電磁界の生成は、電源２４４からのエネルギーをソレノイドであり得る送信アンテナ２５０に向けることで達成され得る。
【００３４】
１つの例では、送信機２４２などの外部ユニット２０４の少なくとも一部分が、顔の周りの着用式支持構造２４０、たとえば眼鏡、キャップまたは他の着用式要素上に着用される。したがって、送信機２４２は、ユーザーの頭と顔の周りで快適に担持されるよう十分に小さい寸法であり得る。送信機２４２の位置は、所望の電磁束量を所望の向きで埋没物アンテナ２２４に供給できるように選択され設計される。次に送信機２４２に電力が供給され、電磁束界が発せられる。
【００３５】
一部の実施形態では、電磁界の方向は、電磁界内で所望の送信方向と反対の位置に分路２５２を配置することで制御される。たとえば、分路２５２を配置することは、送信アンテナ２５０が分路２５２と埋没物２０２の間の領域内に配置されるように分路を配置することを含み得る。したがって、電磁界は、電磁束分路２５２の方向よりも埋没物２０２の方向に強くなる。
【００３６】
眼内埋没物と送信機を参照して説明したが、電磁束分流技法は、眼内埋没物以外の用途もあり得る。眼鏡のこめかみのアンテナ載置コンセプトとは異なる外部ユニットとともに使用してもよい。フェライトはカスタムメイドでの成形と機械加工が可能なので、電磁束分路は、本明細書での記載に加えて、多くの方法で、多くの方向に電磁束を向けるのに使用され得る。
【００３７】
当業者であれば、本開示が包含する実施形態は上述の特定の例示的実施形態に制限されないことを理解されよう。この観点から、例示的実施形態を示し説明してきたが、上記の実施形態においては広範な変形、変更および代用が企図される。そのような変化は、本開示の精神から逸脱することなく上記に加えられ得ることが理解される。したがって、添付の請求項は、本開示に沿って広義に解釈されるのが適切である。
【図１】
2015500709.tif 000003
【図２】
2015500709.tif 000004
【図３】
2015500709.tif 000005
【図４】
2015500709.tif 000006
【図５】
2015500709.tif 000007
【図６】
2015500709.tif 000008
【国際調査報告】
2015500709.tif 000009
2015500709.tif 000010
2015500709.tif 000011